(57)【要約】【課題】簡易な操作で画像撮影装置の色空間の調整をおこなうこと。【解決手段】デジタルカメラ１０１は、画像を撮影する撮影部２１１と、ハードウェアキー１０２から色空間の設定値を読み取る設定情報読取部２１３と、撮影部２１１によって撮影された画像の色空間を、設定情報読取部２１３によって読み取った色空間の設定値を用いて調整する画像処理部２１４と、を備える。また、装置に対して着脱自在であり、色空間の設定値を記憶するハードウェアキー１０２が装着される。【選択図】        図２
2006279457.tif 000002
【特許請求の範囲】
【請求項１】
画像を撮影する撮影手段と、
装置に対して着脱自在であり、色空間の設定値を記憶する記憶媒体と、
前記記憶媒体から前記色空間の設定値を読み取る読取手段と、
前記撮影手段によって撮影された前記画像の色空間を、前記読取手段によって読み取った前記色空間の設定値を用いて調整する調整手段と、
を備えることを特徴とする画像撮影装置。
【請求項２】
前記読取手段は、前記記憶媒体が装置に対して取り付けられたときに、前記記憶媒体から前記色空間の設定値を読み取ることを特徴とする請求項１に記載の画像撮影装置。
【請求項３】
前記調整手段によって色空間が調整された画像を、前記記憶媒体に書き込む書込手段を備えることを特徴とする請求項１に記載の画像撮影装置。
【請求項４】
前記記憶媒体は、銀塩フィルムの画質を表現する色空間の設定値を記憶することを特徴とする請求項１〜３のいずれか一つに記載の画像撮影装置。
【請求項５】
前記調整手段によって色空間が調整された画像を、所定のフォーマットで出力する出力手段と、
前記出力手段によって出力される画像のフォーマットを選択する選択手段と、を備え、
前記調整手段は、前記選択手段によって選択されたフォーマットに合わせて色空間を調整することを特徴とする請求項１〜４のいずれか一つに記載の画像撮影装置。
【請求項６】
前記選択手段は、前記出力手段によって出力される画像のフォーマットとして、ＪＰＥＧ形式およびＲＡＷ形式を選択可能であり、
前記調整手段は、前記選択手段によってＪＰＥＧ形式が選択された場合には、前記撮影手段によって撮影された画像を、前記色空間の設定値に合わせたＪＰＥＧデータに変換し、前記選択手段によってＲＡＷ形式が選択された場合には、前記撮影手段によって撮影された画像のデータタグに前記色空間の設定値を書き込むことを特徴とする請求項５に記載の画像撮影装置。
【請求項７】
画像を撮影する撮影工程と、
装置に対して着脱自在であり、色空間の設定値を記憶する記憶媒体から、当該色空間の設定値を読み取る読取工程と、
前記撮影工程によって撮影された前記画像の色空間を、前記読取工程によって読み取った前記色空間の設定値を用いて調整する調整工程と、
を含むことを特徴とする画像撮影方法。
【請求項８】
請求項７に記載の画像撮影方法をコンピュータに実行させることを特徴とする画像撮影プログラム。
【請求項９】
請求項８に記載の画像撮影プログラムを記録したコンピュータに読み取り可能な記録媒体。
【発明の詳細な説明】
【技術分野】
【０００１】
この発明は、画像データの処理をおこなう画像撮影装置、画像撮影方法、画像撮影プログラムおよび記録媒体に関する。
【背景技術】
【０００２】
従来、光学素子などを用いて撮影した画像をデジタルデータとして出力するデジタルカメラでは、ホワイトバランスや色合い、感度など、撮影画像の画質の設定を、ユーザによって操作することができる。このような画質の設定は、デジタルカメラ本体に設けられた表示パネルや操作ボタンなどのインターフェースを、ユーザが操作することによっておこなう（たとえば、下記特許文献１参照。）。
【０００３】
【特許文献１】特開２００４−２８９７２９号公報
【発明の開示】
【発明が解決しようとする課題】
【０００４】
しかしながら、上述した従来技術によれば、ユーザは画質の設定をおこなうにあたって、表示パネルなどのインターフェースを操作しなければならない。写真撮影時は、シャッターチャンスを逃すことがないよう、迅速な操作をおこなうことが要求される。一方で、表示パネルには、画質の他にもデジタルカメラに関する各種設定をおこなうメニュー画面が表示され、各種設定が階層状に構成されている場合が多い。このため、ユーザは、所望の画質設定をおこなう画面にたどり着くために階層をたどらなくてはならず、煩雑であるという問題点がある。
【０００５】
この発明は、上述した従来技術による問題点を解消するため、簡易な操作で画質の設定をおこなうことができる画像撮影装置、画像撮影方法、画像撮影プログラムおよび記録媒体を提供することを目的とする。
【課題を解決するための手段】
【０００６】
上述した課題を解決し、目的を達成するため、本発明にかかる画像撮影装置は、画像を撮影する撮影手段と、装置に対して着脱自在であり、色空間の設定値を記憶する記憶媒体と、前記記憶媒体から前記色空間の設定値を読み取る読取手段と、前記撮影手段によって撮影された前記画像の色空間を、前記読取手段によって読み取った前記色空間の設定値を用いて調整する調整手段と、を備えることを特徴とする。
【０００７】
この場合、装置から着脱可能な記録媒体から読み取った設定値によって、画像撮影装置の色空間の設定値の調整をおこなう。このため、ユーザに煩雑な操作をおこなわせることなく、画像撮影装置の色空間の設定を適切なものとすることができる。
【０００８】
また、前記読取手段は、前記記憶媒体が装置に対して取り付けられたときに、前記記憶媒体から前記色空間の設定値を読み取ることとしてもよい。
【０００９】
この場合、記録媒体装着後、ただちに色空間の設定値を調整することができる。また、画像撮影装置に、色空間の設定値を記憶する記録媒体以外のものが装着された場合には、読み取りをおこなわず、色空間の調整をおこなわない。
【００１０】
また、前記調整手段によって色空間が調整された画像を、前記記憶媒体に書き込む書込手段を備えることとしてもよい。
【００１１】
この場合、記録媒体に記録された色空間の設定値によって調整された画像を、同じ記録媒体に記録する。このため、画像撮影装置によって撮影された画像の管理を、ユーザが容易におこなうことができる。
【００１２】
また、前記記憶媒体は、銀塩フィルムの画質を表現する色空間の設定値を記憶することとしてもよい。
【００１３】
この場合、画像撮影装置は、撮影した画像を銀塩フィルムの画質を表現する色空間に調整する。このため、銀塩フィルムに親しんだユーザに対して、適切な色空間の設定値を記憶した記録媒体を選択させることができる。また、記録媒体に撮影した画像を記録させることとすれば、銀塩フィルム同様の使用感を得ることができる。
【００１４】
また、前記調整手段によって色空間が調整された画像を、所定のフォーマットで出力する出力手段と、前記出力手段によって出力される画像のフォーマットを選択する選択手段と、を備え、前記調整手段は、前記選択手段によって選択されたフォーマットに合わせて色空間を調整することとしてもよい。
【００１５】
この場合、出力する画像のフォーマットを選択させ、選択されたフォーマットに適した処理によって、撮影した画像の色空間を調整する。このため、画像撮影装置によって撮影した画像を適切なフォーマットで活用することができる。
【００１６】
また、前記選択手段は、前記出力手段によって出力される画像のフォーマットとして、ＪＰＥＧ形式およびＲＡＷ形式を選択可能であり、前記調整手段は、前記選択手段によってＪＰＥＧ形式が選択された場合には、前記撮影手段によって撮影された画像を、前記色空間の設定値に合わせたＪＰＥＧデータに変換し、前記選択手段によってＲＡＷ形式が選択された場合には、前記撮影手段によって撮影された画像のデータタグに前記色空間の設定値を書き込むこととしてもよい。
【００１７】
この場合、ＪＰＥＧデータおよびＲＡＷデータそれぞれに対して、適切な色空間の調整をおこなうことができる。
【００１８】
また、本発明にかかる画像撮影方法は、画像を撮影する撮影工程と、装置に対して着脱自在であり、色空間の設定値を記憶する記憶媒体から、当該色空間の設定値を読み取る読取工程と、前記撮影工程によって撮影された前記画像の色空間を、前記読取工程によって読み取った前記色空間の設定値を用いて調整する調整工程と、を含むことを特徴とする。
【００１９】
この場合、装置から着脱可能な記録媒体から読み取った設定値によって、色空間の設定値の調整をおこなう。このため、ユーザに煩雑な操作をおこなわせることなく、色空間の設定を適切なものとすることができる。
【００２０】
また、本発明にかかる画像撮影プログラムは、上述した画像撮影方法をコンピュータに実行させることを特徴とする。
【００２１】
この場合、装置から着脱可能な記録媒体から読み取った設定値によって、色空間の設定値の調整をおこなう。このため、ユーザに煩雑な操作をおこなわせることなく、色空間の設定を適切なものとすることができる。
【００２２】
また、コンピュータに読み取り可能な記録媒体に上述した画像撮影プログラムを記録させることとしてもよい。
【発明を実施するための最良の形態】
【００２３】
以下に添付図面を参照して、この発明にかかる画像撮影装置、画像撮影方法、画像撮影プログラムおよび記録媒体の好適な実施の形態を詳細に説明する。
【００２４】
（実施の形態）
（画像撮影装置の接続機器構成）
図１は、実施の形態にかかる画像撮影装置の接続機器構成を示す図である。本実施の形態にかかる画像撮影装置は、デジタルカメラ１０１およびハードウェアキー１０２（１０２ａ〜１０２ｃ）によって実現する。また、ＰＣ１１１およびプリンタ１１２は、画像撮影装置が撮影した写真の画像データを取得し、画像データの加工・印刷処理などをおこなう。
【００２５】
デジタルカメラ１０１は、ＣＣＤやＣＭＯＳなどの光に反応する半導体素子を使って画像を電気信号に変換する。デジタルカメラ１０１は撮影した写真の画像データを、図示しないメモリカード、フラッシュメモリなどのデジタルカメラ１０１から着脱可能な記録媒体に記録する。デジタルカメラ１０１には開口部１０１ａが設けられており、ハードウェアキー１０２を着脱可能となっている。また、デジタルカメラ１０１を、後述するＰＣ１１１やプリンタ１１２とケーブルなどによって接続し、撮影した写真の画像データをＰＣ１１１やプリンタ１１２に出力するようにしてもよい（図中矢印Ａ，矢印Ｂ）。
【００２６】
また、デジタルカメラ１０１の背面には、図示しない液晶モニタが設けられており、撮影した画像の閲覧や、設定内容の確認をおこなうことができる。デジタルカメラ１０１は、図示しない操作部や液晶モニタを介して、色空間のプロファイル（設定情報）の設定操作をおこなうことができる。色空間とは、ある特定の色を表現するための方法である。赤（Ｒ）、緑（Ｇ）、青（Ｂ）の３色の階調により表現するＲＧＢ、シアン（Ｃ）、マゼンタ（Ｍ）、黄色（Ｙ）、黒（Ｋ）の４色の階調により表現するＣＭＹＫ、輝度（Ｙ）と赤の色差（Ｕ）、青の色差（Ｖ）により表現するＹＵＶなどがあり、それぞれの方法により特定の色が表現できる。デジタルカメラ１０１において用いられる代表的な色空間としては、たとえば、ｓＲＧＢとＡｄｏｂｅＲＧＢが知られている。
【００２７】
デジタルカメラ１０１においては、色空間のプロファイルを変更することでカラータッチを設定し、同じ画像でも異なるテイストを実現することができる。たとえば、コントラストが弱く柔らかい印象を実現する「軟調」や、コントラストを強調した「硬調」、この他「緑を鮮やかにする」など、様々なテイストを実現することができる。また、銀塩フィルムによって撮影した画質を再現するものであってもよい。以下、特定のカラータッチを実現する色空間のプロファイルを「カラータッチのプロファイル」として説明する。
【００２８】
カラータッチの設定がおこなわれた場合、デジタルカメラ１０１において、それぞれのプロファイルに応じた画像処理をおこなう。もしくは、デジタルカメラ１０１において、プロファイルに応じた画像処理を他の機器におこなわせるコマンドを付加することとしてもよい。また、カラータッチのプロファイルは、あらかじめデジタルカメラ１０１が設定情報を有しているものの他、記録媒体やネットワークを介して外部から取得した設定情報に基づいて設定されてもよい。
【００２９】
ハードウェアキー１０２（１０２ａ〜１０２ｃ）は、デジタルカメラ１０１のカラータッチのプロファイルを記憶する。ハードウェアキー１０２が記憶するプロファイルは、デジタルカメラ１０１のカラータッチを変更するための情報である。ハードウェアキー１０２は複数存在し（ハードウェアキー１０２ａ〜１０２ｃ）、それぞれのハードウェアキー１０２には、それぞれ異なるテイストを再現するための設定情報が記憶されている。
【００３０】
前述のように、デジタルカメラ１０１は、カラータッチに応じて、様々なテイストを実現することができる。たとえば、ハードウェアキー１０２ａは軟調、ハードウェアキー１０２ｂは硬調、ハードウェアキー１０２ｃは銀塩フィルム調などである。ユーザは、得たいテイストのハードウェアキー１０２を、デジタルカメラ１０１の開口部１０１ａに挿入して使用して画像を撮影する。
【００３１】
このように、ハードウェアキー１０２ごとに異なるプロファイルを持たせることによって、ユーザは、銀塩フィルムを交換するように、ハードウェアキー１０２を交換することによって、デジタルカメラ１０１のカラータッチを変更することができる。上述のように、デジタルカメラ１０１のカラータッチは、デジタルカメラ１０１に設けられた操作部などによって設定することができるが、設定操作が煩雑であったり、どのようなプロファイルが適切であるかを判断することが困難な場合がある。
【００３２】
そこで、ハードウェアキー１０２を物理的に交換することによって、銀塩カメラ同様の操作でプロファイルの設定をおこなうこととした。さらに、プロファイルについても、銀塩フィルムの画質を再現するものとすれば、デジタルカメラ１０１より銀塩カメラを使い慣れているユーザにとっても、撮影した画像データの画質を予測することができ、デジタルカメラ１０１の操作性を向上させることができる。
【００３３】
さらに、ハードウェアキー１０２に記録させるプロファイルを、銀塩フィルムの種類の違いによって得られる画質を再現するためのものとしてもよい。デジタルカメラ１０１が一般的となる以前は、写真撮影には銀塩カメラが主流に用いられていた。銀塩カメラにおいては、撮影に用いるフィルム（銀塩フィルム）の種類によってその特性が異なっている。たとえば、リバーサルフィルムを用いた場合、全体に濃度が高く、階調が硬い写真が得られる。同様に、他の種類のフィルムも、それぞれの特性を有している。ハードウェアキー１０２によってフィルムの特性に応じたプロファイルを設定することによって、さらに、銀塩カメラに親しんだユーザが、デジタルカメラ１０１を使用する際の操作性を向上させることができる。
【００３４】
ＰＣ１１１は、画像処理アプリケーションの実行などによって、デジタルカメラ１０１によって撮影された画像データの画像処理をおこなう。ＰＣ１１１による画像処理は、画像データに設定情報が付加されている場合には、付加された設定情報に基づいておこなわれる。また、画像処理アプリケーションをユーザが操作することによって、所望の画像処理をおこなうことも可能である。
【００３５】
ＰＣ１１１とデジタルカメラ１０１との間の画像データのやり取りは、ＵＳＢなどのインターフェースによって両機器を直接接続する（図中矢印Ａ）他、メモリカードなどの記録媒体を介しておこなってもよい。その場合、記録媒体をＰＣ１１１の本体に設けられた開口部１１１ａに挿入してデータの読み書きをおこなう。ＰＣ１１１が画像処理した画像データの出力先は、開口部１１１ａに挿入された記録媒体や、デジタルカメラ１０１、その他ネットワークに接続された機器（図示なし）などであってもよい。
【００３６】
また、ＰＣ１１１は、プリンタ１１２とケーブルなどによって接続される（図中矢印Ｃ）。ＰＣ１１１は、画像処理した画像データをプリンタ１１２に出力して、画像データを印刷出力させる。
【００３７】
プリンタ１１２は、ＰＣ１１１によって画像処理された画像データを印刷出力する。また、プリンタ１１２は、デジタルカメラ１０１とケーブルなどによって直接接続され（図中矢印Ｂ）、デジタルカメラ１０１によって撮影された画像データを印刷することもできる。また、プリンタ１１２に図示しない記録媒体読み取り部を設け、記録媒体を介してデジタルカメラ１０１が撮影した画像データの印刷出力をおこなうようにしてもよい。
【００３８】
（デジタルカメラ１０１およびハードウェアキー１０２の機能的構成）
図２は、デジタルカメラの機能的構成を示すブロック図である。デジタルカメラ１０１は、制御部２０１、撮影部２１１、操作部２１２、設定情報読取部２１３、画像処理部２１４、画像記録部２１５、出力部２１６によって構成される。制御部２０１は、デジタルカメラ１０１全体の制御処理をおこなう。
【００３９】
撮影部２１１は、レンズや光学素子からなり、撮影した画像をデジタルデータとして出力する。このとき、撮影部２１１から出力されるデータはＲＡＷデータと呼ばれ、光学素子から得られた電気信号をそのままデジタル化したものである。
【００４０】
操作部２１２は、操作ボタンやタッチパネルなどによって構成され、ユーザによるデジタルカメラ１０１の操作に用いられる。操作部２１２によって操作される項目としては、たとえば、プロファイルの設定や、撮影した画像の閲覧・消去、撮影タイミング（シャッター）、出力データの形式などである。また、操作部２１２は、デジタルカメラ１０１に対して一体に設けられていてもよいし、リモコンのようにデジタルカメラ１０１から分離して操作可能な形態であってもよい。
【００４１】
設定情報読取部２１３は、ハードウェアキー１０２が記憶するカラータッチのプロファイル情報を読み取る。より詳細には、開口部１０１ａから挿入されたハードウェアキー１０２の設定情報記録部３０２（図３参照）にアクセスし、設定情報記録部３０２からプロファイル情報を読み取る。
【００４２】
画像処理部２１４は、撮影部２１１から出力された画像データに画像処理をおこなう。画像処理部２１４のおこなう画像処理は、操作部２１２によって設定されたプロファイルや出力データの形式に応じたものである。また、設定情報読取部２１３によってハードウェアキー１０２からプロファイルが読み取られた場合には、読み取られたプロファイルに応じた画像処理をおこなう。
【００４３】
画像記録部２１５は、画像処理部２１４によって画像処理された画像データを記録する。なお、画像記録部２１５は、デジタルカメラ１０１と一体に設けられる他、メモリカードなどデジタルカメラ１０１に対して着脱可能なものであってもよい。このような構成であれば、ＰＣ１１１やプリンタ１１２に記録媒体読み取り部を設けることによって、デジタルカメラ１０１で撮影した画像データの転送をおこなうことができる。また、デジタルカメラ１０１と一体に設けられたもの、およびデジタルカメラ１０１から着脱可能なものを両方備えるようにしてもよい。
【００４４】
また、たとえば、ハードウェアキー１０２に、画像記録部２１５に相当する構成を設け、デジタルカメラ１０１で撮影した画像データを記録するようにしてもよい。この場合、デジタルカメラ１０１は、ハードウェアキー１０２が挿入された状態であり、挿入されたハードウェアキー１０２に対応するフィルムの種類に応じたプロファイルをによって、写真撮影をおこなっている。このため、それぞれのハードウェアキー１０２には、それぞれのプロファイルで撮影した画像が記録されることとなる。これにより、ユーザはプロファイルごとに画像データを管理することができ、画像データ管理の簡略化を図ることができる。
【００４５】
出力部２１６は、画像記録部２１５に記録された画像データを、ＰＣ１１１やプリンタ１１２などに出力する。出力部２１６から出力される画像データは、操作部２１２を介して設定された出力データ形式となる。なお、画像記録部２１５がデジタルカメラ１０１に対して着脱可能である場合、画像記録部２１５をＰＣ１１１やプリンタ１１２に装着し、画像データをやり取りさせることとしてもよい。
【００４６】
出力部２１６が出力する画像データの形式は、ＪＰＥＧデータまたはＲＡＷデータを選択することができる。一般に、デジタルカメラ１０１はＪＰＥＧデータによって画像データを保存する。前述のように、撮影部２１１から出力される画像データはＲＡＷデータであるが、画像処理部２１４によって画像処理をおこない、ＪＰＥＧデータに変換している。これに加え、デジタルカメラ１０１は、撮影部２１１から出力されたままのＲＡＷデータによっても画像データを保存・出力することができる。
【００４７】
ＲＡＷデータは、ＰＣ１１１に出力しても、そのままでは一般の画像処理アプリケーションで開くことができない。また、プリンタ１１２に出力して印刷することもできない。ＲＡＷデータを扱うには、デジタルカメラ１０１の専用ソフトを使って、ＪＰＥＧデータなどに変換する必要がある。しかし、ＲＡＷデータで画像データを保存しておくと、必要に応じて後から自在に画像データを加工することができる。たとえば、画像データをホームページに載せる場合は容量の少ないＪＰＥＧデータに変換し、印刷する場合は画像が劣化しないＴＩＦＦデータに変換するといった使い分けができる。
【００４８】
ＲＡＷデータは、ＪＰＥＧデータと比較して容量が大きくなるが、画像処理部２１４による画像処理がおこなわれておらず、色情報などのデータ損失もない。このため、ユーザによる画像データの加工が容易であり、主にプロやハイアマチュアなどの高い画質を要求するユーザに用いられている。
【００４９】
図３は、ハードウェアキーの機能的構成を示すブロック図である。ハードウェアキー１０２は、入出力部３０１、設定情報記録部３０２によって構成される。入出力部３０１は、デジタルカメラ１０１との間でデータの入出力をおこなう。設定情報記録部３０２は、デジタルカメラ１０１のプロファイルを設定する設定情報を記憶する。設定情報記録部３０２が記憶するプロファイルは、所定の種類の銀塩フィルムの画質を再現するものである。この他、ハードウェアキー１０２に、デジタルカメラ１０１の画像記録部２１５に相当する構成を設け、デジタルカメラ１０１で撮影した画像データを記録するようにしてもよい。
【００５０】
（デジタルカメラ１０１の処理）
図４は、デジタルカメラのカラータッチ設定処理の手順を示すフローチャートである。まず、デジタルカメラ１０１は、開口部１０１ａにハードウェアキー１０２が挿入されているかを判断する（ステップＳ４０１）。ハードウェアキー１０２が挿入されている場合は（ステップＳ４０１：Ｙｅｓ）、ハードウェアキー１０２にプロファイルが記録されているかを判断する（ステップＳ４０２）。
【００５１】
ハードウェアキー１０２にプロファイルが記録されている場合は（ステップＳ４０２：Ｙｅｓ）、設定情報読取部２１３によってハードウェアキー１０２の設定情報記録部３０２からプロファイルの読み出しをおこなう（ステップＳ４０３）。そして、読み取ったプロファイルを用いてカラータッチを設定し（ステップＳ４０４）、本フローチャートによる処理を終了する。
【００５２】
一方、ハードウェアキー１０２が挿入されていない場合（ステップＳ４０１：Ｎｏ）、およびハードウェアキー１０２にプロファイルが記録されていない場合は（ステップＳ４０２：Ｎｏ）、デフォルトのプロファイルに設定し（ステップＳ４０５）、本フローチャートによる処理を終了する。
【００５３】
以上のような処理によって、デジタルカメラ１０１は、カラータッチの設定をおこなう。ユーザは煩雑な操作処理をおこなうことなく、ハードウェアキー１０２の着脱によってデジタルカメラ１０１のカラータッチの設定をすることができる。つづいて、写真撮影時におけるデジタルカメラ１０１の処理を説明する。
【００５４】
図５は、写真撮影時におけるデジタルカメラの処理を示すフローチャートである。まず、デジタルカメラ１０１は、ユーザによって写真撮影のための操作がなされ、画像データを取得すると（ステップＳ５０１：Ｙｅｓ）、画像データの保存形式はＪＰＥＧデータか、ＲＡＷデータかを判断する（ステップＳ５０２）。画像データの保存形式がＪＰＥＧデータの場合は（ステップＳ５０２：ＪＰＥＧデータ）、画像処理部２１４によって、プロファイルに合わせた画像処理をおこない（ステップＳ５０３）、ステップ５０５に移行する。
【００５５】
画像データの保存形式がＲＡＷデータの場合は（ステップＳ５０２：ＲＡＷデータ）、プロファイルをＲＡＷデータのタグに書き込み（ステップＳ５０４）、画像記録部２１５に画像データを記録する（ステップＳ５０５）。ＲＡＷデータのタグに書き込まれたプロファイルは、ＰＣ１１１などによって画像データに画像処理がおこなわれる際に用いられ、ユーザは、ハードウェアキー１０２が示すカラータッチに合わせた画像を得ることができる。
【００５６】
写真撮影のためのユーザの操作が終了すると（ステップＳ５０６：Ｙｅｓ）、本フローチャートによる処理を終了する。一方、ユーザの操作が終了しない場合は（ステップＳ５０６：Ｎｏ）、ステップＳ５０１に戻り、以降の処理を繰り返す。
【００５７】
以上説明したように、本実施の形態にかかる画像撮影装置によれば、装置から着脱可能な記録媒体から読み取った設定値によって、画像撮影装置の色空間の設定値の調整をおこなう。このため、ユーザに、設定値の調整などの煩雑な操作をおこなわせることなく、画像撮影装置の色空間の設定を適切なものとすることができる。
【００５８】
また、銀塩フィルムの画質を表現する色空間に調整することとすれば、銀塩フィルムに親しんだユーザに対して、適切な色空間の設定値を記憶したハードウェアキー１０２を選択させることができる。また、ハードウェアキー１０２に撮影した画像を記録させることとすれば、銀塩フィルム同様の使用感を得ることができる。
【００５９】
また、撮影した画像データをＲＡＷデータで出力する場合であっても、カラータッチの設定をおこなうことができる。このため、高い画質を要求するユーザに対しても、利便性の高い画像撮影装置を提供することができる。
【００６０】
なお、本実施の形態で説明した画像撮影方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【図面の簡単な説明】
【００６１】
【図１】実施の形態にかかる画像撮影装置の接続機器構成を示す図。
【図２】デジタルカメラの機能的構成を示すブロック図。
【図３】ハードウェアキーの機能的構成を示すブロック図
【図４】デジタルカメラのカラータッチ設定処理の手順を示すフローチャート。
【図５】写真撮影時におけるデジタルカメラの処理を示すフローチャート。
【符号の説明】
【００６２】
１０１  デジタルカメラ、１０１ａ  開口部、１０２ａ〜１０２ｃ  ハードウェアキー、１１１  ＰＣ、１１１ａ  開口部、１１２  プリンタ、２０１  制御部、２１１  撮影部、２１２  操作部、２１３  設定情報読取部、２１４  画像処理部、２１５  画像記録部、２１６  出力部、３０１  入出力部、３０２  設定情報記録部
【図１】
2006279457.tif 000003
【図２】
2006279457.tif 000004
【図３】
2006279457.tif 000005
【図４】
2006279457.tif 000006
【図５】
2006279457.tif 000007